(57)【要約】【課題】直下型のバックライトにおける輝度ムラを解消するとともに、同バックライトを採用した液晶テレビジョン装置における表示面の明るさを均一にすることを目的とする。【解決手段】冷陰極管５４ａ〜５４ｄの背面側に配置されつつ同冷陰極管５４ａ〜５４ｄから照射された光を液晶パネル２８に反射する反射シート５５の面に、冷陰極管５４ａ〜５４ｄの配列位置の間にスリット６０を形成し、反射シート５５とリアフレーム５７との間にスリット６０の形成範囲より幅広の黒シート５６を配置する。【選択図】図４
2007286360.tif 000002
【特許請求の範囲】
【請求項１】
映像を画面に表示する３０インチ以上の液晶パネルと、
軸がバックライト装置の長手方向と略一致するとともに短手方向に冷陰極管の直線部分が略並行かつ略等間隔となるように配列して配置される４本のＵ字型の冷陰極管と
上記冷陰極管の背面側に配置されて同冷陰極管から照射された光を上記液晶パネルに反射する略平面状の白色のシートである反射シートと
上記反射シートの背面側に配置されて同反射シートと上記冷陰極管とを保持するリアフレームと、
拡散板と拡散シートとレンズシートとから構成されて、上記冷陰極管からの直射光および上記反射シートからの反射光を照射されて、同照射された光を上記液晶パネルに向けて拡散するとともに面方向の輝度を向上させるために前方への集光効果を持つ機能性シートと
上記冷陰極管を上記リアフレームに対して固定するランプホルダーと、
上記液晶パネルと上記機能性シートとを上記ランプホルダーおよび上記リアフレームに対して固定する略矩形枠のベゼルと、
により構成される直下型バックライト装置と、
上記直下型バックライト装置に交流電圧を供給するインバータ部と、
を備えつつ、テレビ放送を受信して対応する映像を上記画面に表示する液晶テレビジョン装置において、
上記反射シートの面には上記冷陰極管の軸方向と略平行に、上記冷陰極管それぞれの配列位置の間となる部分に形成されるスリットと、
両面に接着性を持たせつつ上記リアフレームと上記反射シートとの間に配置されて両者を接着し、上記スリットから露見するように上記スリットの形成範囲よりも幅広に形成された黒シートと、
を備え、
上記スリットは、
上記冷陰極管と略平行方向には長く、上記冷陰極管の配列方向には幅狭に形成され
上記冷陰極管の配列方向の略中心から端部に近づくほど同冷陰極管の配列方向の幅が幅狭となるように形成され
上記冷陰極管の配列方向において中心側に近い位置にはスリット形成し、端側に近い位置にはスリットを形成しないようにし、
上記冷陰極管と略平行方向において、断続的に破線状に形成される
ことを特徴とする液晶テレビジョン装置。
【請求項２】
液晶パネルの背面に略平行に配列して配置されつつ同液晶パネルに光を照射する複数の蛍光管を備えた直下型バックライト装置において、
上記複数の蛍光管の背面側に配置され、該複数の蛍光管から照射された光を上記液晶パネルに反射する反射シートと、
上記反射シートの面における上記複数の蛍光管の配列位置の間に形成されるスリットと、
上記反射シートの背面側に配置される上記スリットの形成範囲より幅広の黒シートと、
を備えることを特徴とする直下型バックライト装置。
【請求項３】
上記スリットは、上記複数の蛍光管と略平行方向には長く、同複数の蛍光管の配列方向には幅狭に形成されることを特徴とする上記請求項２に記載の直下型バックライト装置。
【請求項４】
上記スリットは、上記複数の蛍光管の配列方向の略中心から上記バックライト装置の端部に近づくほど、上記複数の蛍光管の配列方向の幅が幅狭となるように形成される
ことを特徴とする上記請求項２または請求項３に記載の直下型バックライト装置。
【請求項５】
上記スリットは、上記複数の蛍光管と略平行方向において、断続的に破線状に形成される
ことを特徴とする上記請求項２〜請求項４のいずれかに記載の直下型バックライト装置。
【請求項６】
上記黒シートは、接着性を有する
ことを特徴とする上記請求項２〜請求項５のいずれかに記載の直下型バックライト装置。
【発明の詳細な説明】
【技術分野】
【０００１】
本発明は、直下型バックライト装置および同直下型バックライト装置を備える液晶テレビジョン装置に関し、特に液晶パネルの下面に蛍光管が配列される直下型バックライト装置と同直下型バックライト装置を備える液晶テレビジョン装置に関する。
【背景技術】
【０００２】
液晶パネルを用いて映像を表示する液晶テレビジョン装置などは、その背面から光を照射する光源としてのバックライトを備える。バックライトのうち蛍光管が液晶セルの直下に配置される直下型のバックライトでは、反射シート上に等間隔に配列された蛍光管（冷陰極管など）の上に拡散シートやレンズシートなどの機能性シートおよび液晶セルなどが配置される。このように、等間隔に配置された蛍光管を使用したバックライトでは、周囲の蛍光管の光の影響を最も多く受ける配列の中心側で輝度が高くなることが不可避である。特に、コストダウンのためにＵ字型の蛍光管を採用している場合、蛍光管の配列ピッチはＵ字管の曲げピッチによる制約が大きく、輝度ムラの解消が難しかった。
液晶パネルの光源となるバックライトの輝度ムラを解消する技術として、特許文献１にはバックライトに使用される蛍光灯の内表面に水銀が付着することを防ぎ、輝度ムラの発生を防止するとともに、バックライトの薄型化を図るようにした液晶表示装置について開示されている。
また、雰囲気温度の上昇により蛍光管の発光効率が低下して輝度が低下することを防ぐ技術として、特許文献２には、反射シートにスリットを設けて同スリットと蛍光管とを合わせて配置させるとともに反射シート背面から冷却エアを当てることで蛍光管を直接冷却できるようにした画光源装置について開示されている。
そして、バックライト装置の大型化に伴う円筒状光源の軸長化により筐体底部と円筒状光源との間のリーク電流が増加して輝度ムラが生じることを防ぐ技術として、特許文献３には、筐体底部の高圧電圧供給側電極部近傍に透孔を設けたバックライト装置について開示されている。
さらに、光源からの直射光に起因する影を抑制して輝度ムラを抑える技術として、特許文献４には、拡散反射板に光源の軸線と直交する方向にスリットを形成したバックライトについて開示されている。
【特許文献１】特開平５−９３９０８
【特許文献２】特開平１０−１７０９１２
【特許文献３】特開２００４−２２０９８０
【特許文献４】特開平８−１２２７８２
【発明の開示】
【発明が解決しようとする課題】
【０００３】
上述したように、従来のバックライトは中心側の輝度が高くなり、同バックライトを採用した液晶テレビジョンなどでは液晶画面の中央部分が明るくなりすぎていた。また、蛍光管の配列ピッチの制約はバックライトのサイズが大きくなるほど大きく、特に３０インチ以上の液晶パネルに対応するバックライトほど輝度ムラの解消が難しかった。
【０００４】
本発明は、上記課題にかんがみてなされたもので、直下型バックライト装置における輝度ムラを解消するとともに、同直下型バックライト装置を採用した液晶テレビジョン装置における表示面の明るさを均一にすることを目的とする。
【課題を解決するための手段】
【０００５】
上記課題を解決するために、本発明の請求項１にかかる発明では、映像を画面を表示する３０インチ以上の液晶パネルと、軸がバックライト装置の長手方向と略一致するとともに短手方向に冷陰極管の直線部分が略並行かつ略等間隔となるように配列して配置される４本のＵ字型の冷陰極管と上記冷陰極管の背面側に配置されて同冷陰極管から照射された光を上記液晶パネルに反射する略平面状の白色のシートである反射シートと上記反射シートの背面側に配置されて同反射シートと上記冷陰極管とを保持するリアフレームと、拡散板と拡散シートとレンズシートとから構成されて、上記冷陰極管からの直射光および上記反射シートからの反射光を照射されて、同照射された光を上記液晶パネルに向けて拡散するとともに面方向の輝度を向上させるために前方への集光効果を持つ機能性シートと上記冷陰極管を上記リアフレームに対して固定するランプホルダーと、上記液晶パネルと上記機能性シートとを上記ランプホルダーおよび上記リアフレームに対して固定する略矩形枠のベゼルと、により構成される直下型バックライト装置と、上記直下型バックライト装置に交流電圧を供給するインバータ部と、を備えつつ、テレビ放送を受信して対応する映像を上記画面に表示する液晶テレビジョン装置において、上記反射シートの面には上記冷陰極管の軸方向と略平行に、上記冷陰極管それぞれの配列位置の間となる部分に形成されるスリットと、両面に接着性を持たせつつ上記リアフレームと上記反射シートとの間に配置されて両者を接着し、上記スリットから露見するように上記スリットの形成範囲よりも幅広に形成された黒シートと、を備え、上記スリットは、上記冷陰極管と略平行方向には長く、上記冷陰極管の配列方向には幅狭に形成され上記冷陰極管の配列方向の略中心から端部に近づくほど同冷陰極管の配列方向の幅が幅狭となるように形成され上記冷陰極管の配列方向において中心側に近い位置にはスリット形成し、端側に近い位置にはスリットを形成しないようにし、上記冷陰極管と略平行方向において、断続的に破線状に形成される構成としてある。
【０００６】
また、上記目的を達成するために、請求項２に記載の直下型バックライト装置では、液晶パネルの背面に略平行に配列して配置されつつ同液晶パネルに光を照射する複数の蛍光管を備えた直下型バックライト装置において、上記複数の蛍光管の背面側に配置され、該複数の蛍光管から照射された光を上記液晶パネルに反射する反射シートと、上記反射シート面における上記複数の蛍光管の配列位置の間に形成されるスリットと、上記反射シートの背面側に配置される上記スリットの形成範囲より幅広の黒シートと、を備える構成としてある。
上記のように構成した請求項２にかかる発明において、上記反射シートは複数の蛍光管から照射された光を上記液晶パネルに反射するが、上記反射シートの背面側に配置されて上記スリットから露見する黒シートは複数の蛍光管から照射された光を上記液晶パネルに反射しない。従って、輝度の高くなりすぎる位置に上記スリットを形成することにより、同輝度の高くなりすぎる位置の輝度を低下させることが可能となり、上記液晶パネルにおける輝度ムラを改善することが可能となる。このような輝度ムラは大型の液晶パネルを採用したテレビジョンにおいて生じやすく、特に３０インチ以上の液晶テレビジョンに適用すると効果大である。
【０００７】
そして、請求項３にかかる発明では、上記請求項２に記載の直下型バックライト装置において、上記スリットは、上記複数の蛍光管と略平行方向には長く、同複数の蛍光管の配列方向には幅狭に形成される構成としてある。
上記のように構成した請求項３にかかる発明において、上記スリットを蛍光管の配列方向と略平行に形成してあるため、蛍光管から照射される光を蛍光管の軸方向において均一に減少させることができ、上記スリットを幅狭に形成してあるため、同スリットによって輝度を低下させつつ同スリットの形成位置における輝度の低下を視聴者が感じにくくなっている。
【０００８】
さらに、請求項４にかかる発明では、上記請求項２または請求項３に記載の直下型バックライト装置において、上記スリットは、上記複数の蛍光管の配列方向の略中心から上記バックライト装置の端部に近づくほど、上記複数の蛍光管の配列方向の幅が幅狭となるように形成される構成としてある。
上記のように構成した請求項４にかかる発明では、上記複数の蛍光管の配列方向の略中心付近に形成されるスリットと、上記複数の蛍光管の配列方向の端側に形成されるスリットとでは、端側に形成されるスリットの方が幅狭となるように形成される。直下型バックライト装置から照射される光の輝度は、上記複数の蛍光管の配列の中心側が高く、配列の端側に向かって低くなるため、スリットをこのように形成することにより、中心側の輝度を低下させて端側との輝度差を低減させることが可能となる。
【０００９】
さらに、請求項５にかかる発明は、上記請求項２〜請求項４のいずれかに記載の直下型バックライト装置において、上記スリットは、上記複数の蛍光管と略平行方向において、断続的に破線状に形成される構成としてある。
上記のように構成した請求項５にかかる発明において、上記スリットは上記反射シートにおいて、一本の細長い穴としてではなく、破線状に接続部分を有するため、スリットを形成しても上記反射シートの強度を保持することが出来る。すなわち、バックライト装置の組立時に、反射シートを誤って切断したり、取り扱いが不便になったりといった不都合が生じにくくなるため、作業性が向上する。
【００１０】
さらに、請求項６にかかる発明は、上記請求項２〜請求項５のいずれかに記載の直下型バックライト装置において、上記黒シートは、接着性を有する構成としてある。
上記のように構成した請求項６にかかる発明において、上記黒シートは接着性を有するため、上記反射シートと上記リアフレームのいずれかまたは両者に接着されることが可能となり、いずれかに接着されるときは、作業性の向上が見込め、両者に接着されるときは反射シートのたわみ防止に効果を発揮する。
【発明の効果】
【００１１】
以上説明したように本発明によれば、輝度の高くなりすぎる位置に上記スリットを形成することにより、同輝度の高くなりすぎる位置の輝度を低下させることが可能となり、上記液晶パネルにおける輝度ムラを改善することが可能なバックライト装置を提供することができる。
【００１２】
また請求項３にかかる発明によれば、蛍光管から照射される光を蛍光管の軸方向において均一に減少させることができ、上記スリットを幅狭に形成してあるため、同スリットによって輝度を低下させつつ同スリットの形成位置における輝度の低下を視聴者が感じにくいバックライト装置を提供することが出来る
そして請求項４にかかる発明によれば、より適切に中心側の輝度を低下させて端側との輝度差を低減させることが可能となる。
さらに請求項５にかかる発明によれば、上記スリットは上記反射シートにおいて、一本の細長い穴としてではなく、破線状に接続部分を有するため、スリットを形成しても上記反射シートの強度を保持することが出来る。従って、バックライト装置の組立時に、反射シートを誤って切断したり、取り扱いが不便になったりといった不都合が生じにくくなるため、作業性が向上する。
また、請求項６にかかる発明によれば、上記反射シートと上記リアフレームのいずれかに接着されるときは、作業性の向上が見込め、両者に接着されるときは反射シートのたわみ防止に効果を発揮する。
さらに請求項１のようなより具体的な構成において、上述した請求項２〜請求項６の各発明と同様の作用を奏することはいうまでもない。
【発明を実施するための最良の形態】
【００１３】
以下、下記の順序に従って本発明の実施形態を説明する。
（１）液晶テレビジョン装置の概略構成：
（２）直下型バックライト装置の概略構成：
（３）反射シートに形成されるスリット：
（４）反射シートに形成されるスリットの変形例：
（５）まとめ：
【００１４】
（１）液晶テレビジョン装置の概略構成： 
以下、本発明の一実施形態にかかるテレビジョンについて説明する。
図１は、本発明のバックライト装置を採用した液晶テレビジョン装置としてのテレビジョン１００を斜め前方より見た斜視図である。同図において、テレビジョン１００は、キャビネット１０と液晶パネル２８と脚部２０とから構成されている。液晶パネル２８は、映像を画面に表示する平坦な表示面を前面に向けて設置される。キャビネット１０は、樹脂製であり、液晶パネル２８をその表示面が前面側に露出するように保持しつつ、同キャビネット内部に音声を出力するスピーカ（不図示）が設置される。脚部２０は、液晶パネル２８の表示面が略鉛直に配向するようにキャビネット１０を支持する。
【００１５】
図２は、本発明の実施形態にかかるテレビジョン１００の概略構成を示すブロック図である。テレビジョン１００は、概略、アンテナ２２ａの接続されたチューナ部２２と、画像データ生成部２４と、パネル駆動部２６と、液晶パネル２８と、電源部３４と、マイコン３６と、インバータ部３２と、バックライト装置３０とからなる。上記構成においてマイコン３６は、テレビジョン１００を構成する各部と電気的に接続しており、マイコン３６内部の構成部品としてのＣＰＵが、同じくマイコン３６の構成部品であるＲＯＭやＲＡＭなどに書き込まれた各プログラムに従って、テレビジョン１００全体を制御する。
【００１６】
チューナ部２２は、マイコン３６の制御によりアンテナ２２ａよりテレビ放送を受信し、所定の信号増幅処理等を行いつつ、テレビジョン放送信号から中間周波信号としての映像信号を抽出し、画像データ生成部２４へ出力する。画像データ生成部２４は、入力された映像信号をその信号レベルに応じてデジタル化するとともに、映像信号から抽出した輝度信号と色差信号とに基づいてマトリクス変換処理を行ない、画像データとしてのＲＧＢ（レッド、グリーン、ブルー）信号を生成する。
【００１７】
パネル駆動部２６では、画像データ生成部２４から上記ＲＧＢ信号を入力されると、ＲＧＢ信号に対して液晶パネル２８の画素数（横縦比、ｍ：ｎ）に合わせたスケーリング処理を行い、液晶パネル２８に表示する１画面分の画像データを生成する。そして、このように生成された画像データを液晶パネル２８に出力することにより、液晶パネル２８に画像データに基づく画像表示をさせる。
【００１８】
電源部３４は、外部の商用電源等から電源電圧（交流）の供給を受けるとともに、同供給された電源電圧を、マイコン３６を始めインバータ部３２等へ供給する。電源部３４は、必要に応じて各部へ供給する電圧を交流から直流へと変換する。
インバータ部３２は、電源部３４から供給された直流電圧を交流電圧に変換するとともに昇圧してバックライト装置３０に供給して点灯させる。バックライト装置３０は、冷陰極管などの蛍光管を光源として、液晶パネル２８を背面から照射する。
【００１９】
（２）直下型バックライト装置の概略構成： 
図３は本実施形態にかかるバックライト装置を分解して示した斜視図である。同図において、バックライト装置３０は、概略、リアフレーム５７と、反射シート５５と、リアフレーム５７と反射シート５５の間に挟み込むように配置される黒シート５６と、冷陰極管５４と、冷陰極管を所定位置に固定するためのランプホルダー５３と、拡散板や拡散シートやレンズシートなどの調光機能を持つ複数枚のシートから構成される機能性シート５２と、機能性シート５２や液晶セル５１を固定する略矩形枠のベゼル５０とから構成される。また、ベゼル５０と機能性シート５２との間には液晶セル５１が配置され、液晶パネル２８を構成する。
【００２０】
冷陰極管５４は、液晶パネル２８背面の反射シート５５と機能性シート５２の間において、軸がバックライト装置３０の長手方向と略一致するように配置される。また、バックライト装置３０の短手方向に冷陰極管の直線部分が略並行かつ略等間隔となるように配列して配置される。本実施例においては、３２インチの液晶テレビジョンの構成として冷陰極管５４を４本のＵ字管としており、バックライト装置３０の一方の端部に電極が並べて配置され、インバータ部３２からインバータハーネスなどを介してインバータ電流が供給される。そして、冷陰極管５４は、ランプホルダー５３により両端部付近が覆われた状態で反射シート５５上に固定されて、機能性シート５２を介して液晶パネル２８の背面に光を照射する。
【００２１】
図３においては冷陰極管５４はＵ字管として示してあるが、むろん直管であってもよいしＷ字管であってもよいし、冷陰極管５４の直線部分が略平行に配列されるものであればいかなるものであっても構わない。むろん冷陰極管５４は、熱陰極管などの蛍光管であっても構わない。
【００２２】
反射シート５５は、略平面状の白色のシートであり、冷陰極管５４の背面側に配置され、冷陰極管５４から照射された光を液晶パネル２８に反射する。リアフレーム５７の内部に反射シート５５が敷かれることにより、同リアフレーム５７と反射シート５５とが反射板を構成し、同反射板の上には複数本の冷陰極管５４が並べてセットされる。また、反射シート５５は、冷陰極管５４の背面側に設置され、例陰極管５４から背面方向に照射された光を機能性シート５２に対して反射する。
【００２３】
機能性シート５２を構成する拡散板や拡散シートは、冷陰極管５４からの直射光および反射シート５５からの反射光を照射されて、同照射された光を液晶セル５１に向けて拡散する。そして機能性シート５２のうちレンズシートは、面方向の輝度を向上させるために前方への集光効果を持たせたシートであり、液晶パネル２８の表示画面を明るくする。これら機能性シート５２は、いずれかまたは組み合わせにより適宜選択して採用することが可能である。
【００２４】
（３）反射シートに形成されるスリット： 
図４は、反射シート５５に形成されるスリット６０の形成位置および形状と、反射シート５５の上面に配置される冷陰極管５４と、反射シート５５の背面に配置される黒シート５６との位置関係を示す平面図である。
【００２５】
同図においては、Ｕ字型の冷陰極管５４ａ〜５４ｄが反射シート５５の長手方向に沿って左右に長くように配置され、冷陰極管５４ａ〜５４ｄのそれぞれが略平行かつ等間隔となるように上下に並べて配列されている。ここで、冷陰極管５４ａ〜５４ｄの配列間隔を、Ｕ字管の各直線部分５４ａ１と５４ａ２，５４ｂ１と５４ｂ２，５４ｃ１と５４ｃ２，５４ｄ１と５４ｄ２のそれぞれが成す間隔と略同間隔とすると、冷陰極管５４ａ〜５４ｄの８つの直線部分それぞれの間隔が等しくなり、冷陰極管５４ａ〜５４ｄの配列ピッチが一定となる。
【００２６】
冷陰極管５４ａ〜５４ｄそれぞれの配列位置の間となる部分、すなわち冷陰極管５４ａ〜５４ｄの直線部分５４ａ２と５４ｂ１、５４ｂ２と５４ｃ１、５４ｃ２と５４ｄ１の間部分、それぞれにおける反射シート５５面には冷陰極管の軸方向と略平行にスリット６０が形成される。スリット６０は、冷陰極管５４ａ〜５４ｄと略平行方向には長く、冷陰極管５４ａ〜５４ｄの配列方向には幅狭に形成される。すなわち図４においては、スリット６０は反射シート５５の長手方向であるところの左右方向に細長く形成される。
【００２７】
そして、スリット６０の形成される位置のリアフレーム５７と反射シート５５との間には、スリット６０の形成範囲よりも幅広に形成された黒シート５６が配置される。すなわち冷陰極管５４が配置される側には、スリット６０から黒シート５６が露見しており、スリット６０が形成された位置においては冷陰極管５４から照射される光は反射されない。
【００２８】
従って、スリット６０が形成されることにより、同スリット６０の形成された位置からの液晶パネル２８への反射光を低下させることが出来る。つまり、輝度の高くなりすぎる位置にスリット６０を形成することにより、同輝度の高くなりすぎる位置の輝度を低下させることが可能となり、輝度ムラを改善することが可能となる。このような輝度ムラは大型の液晶パネルを採用したテレビジョンにおいて生じやすく、特に３０インチ以上の液晶テレビジョンに適用すると効果大である。
【００２９】
また、黒シート５６の好適な例として、黒シート５６に接着性を持たせてもよく、これによりリアフレーム５７と反射シート５５の両者を黒シート５６により接着することが可能となる。つまり、黒シート５６をリアフレーム５７若しくは反射シート５５のいずれかに貼り付け可能なため作業性が向上する。さらに黒シート５６の両面に接着性を持たせると、リアフレーム５７と反射シート５５とを接着することが可能になるためリアフレーム５７と反射シート５５とのズレを防止するとともに、大型のバックライト装置において発生しやすい反射シート５５のたわみを防止することもできる。
【００３０】
このように輝度ムラを改善するスリットの配置としては、図４のように、冷陰極管５４ａ〜５４ｄの直線部分５４ａ２と５４ｂ１、５４ｂ２と５４ｃ１、５４ｃ２と５４ｄ１の間部分にはスリットを形成し、冷陰極管５４ａ〜５４ｄの直線部分５４ａ１と５４ａ２および５４ｄ１と５４ｄ２の間部分にはスリットを形成することが考えられる。すなわち、スリット６０の形成されない状態では、輝度は冷陰極管５４の配列の中心側が高く、配列の端側に向かって低くなるため、中心側に近い位置にはスリット形成し、端側に近い位置にはスリットを形成しないようにすることで、中心側の輝度を低下させて端側との輝度差を低減させることが可能となる。
【００３１】
さらにスリット６０の形状としては、スリット６０は、冷陰極管５４ａ〜５４ｄの配列方向の略中心からバックライト装置３０の端部に近づくほど、冷陰極管５４ａ〜５４ｄの配列方向の幅が幅狭となるように形成されると好適である。すなわち、図４のように、冷陰極管５４ａ〜５４ｄの配列される上下方向の中心側に形成されるスリット６０ｃは他のスリットに比べて幅広に形成され、スリット６０ｂおよび６０ｄはスリット６０ｃよりも幅狭に形成され、スリット６０ａおよび６０ｅは他のスリットに比べて幅狭に形成される。すなわち端側に近づくほど上下方向の幅が幅狭に形成される。このスリットの幅としては、２〜３ｍｍとされ、例えばスリット６０ｃを３ｍｍとすると、スリット６０ａおよび６０ｅは２ｍｍとし、スリット６０ｂおよび６０ｄは２〜３ｍｍの間の例えば２．５ｍｍなどが採用可能である。むろんスリットの数や幅などは冷陰極管の数や輝度ムラによって様々な数値を採用可能であることはいうまでも無い。
【００３２】
（４）反射シートに形成されるスリットの変形例： 
大型のバックライト装置に好適なスリット６０の形状として、図５のような形状が考えられる。図５には、大型のバックライト装置に採用すると好適なスリット６０の変形例を平面図にて示してある。
【００３３】
本変形例において、スリット６０は、冷陰極管５４ａ〜５４ｄと略平行方向において、断続的に破線状に形成される。例えば３２インチの液晶テレビジョン装置に採用されるバックライト装置の場合は、接続部分は２箇所形成するのが適当とされ、同接続部分の長さとしては１０〜２０ｍｍ程度が適当とされる。すなわち、図５のようにスリット６０ａはスリット６０ａ１と６０ａ２と６０ａ３とから構成され、各スリット６０ａ１と６０ａ２と６０ａ３は独立したスリットとして形成され、これら間には接続部分が残るように形成されている。スリット６０ａ１と６０ａ２の間の接続部分の長さｘおよびスリット６０ａ２と６０ａ３の間の接続部分の長さｘは１０〜２０ｍｍ程度に形成される。スリット６０ｂ〜６０ｅについても同様である。むろん、液晶テレビジョンのサイズに応じて、接続部分および接続部分の長さを増減させることはいうまでも無い。
【００３４】
つまり、バックライト装置が大型化して、それに伴い反射シート５５も大型化すると、スリット６０を長く形成した場合、反射シート５５の強度が不足してしまうことが考えられ、スリット６０の形成された位置で切れたり、切れなくとも反射シート５５をバックライト装置３０に組み立てる際の作業性が低下したりすることが考えられる。このような場合に本変形例を適用すると接続部分が増えるため反射シートが切れにくく、かつ、バックライト装置組立時の作業性を低下させずにすむ。むろん、接続部分を細くするため、輝度ムラを低下させる効果は損なわれない。
【００３５】
（５）まとめ： 
つまり、冷陰極管５４ａ〜５４ｄの背面側に配置されつつ同冷陰極管５４ａ〜５４ｄから照射された光を液晶パネル２８に反射する反射シート５５の面に、冷陰極管５４ａ〜５４ｄの配列位置の間にスリット６０を形成し、反射シート５５とリアフレーム５７との間にスリット６０の形成範囲より幅広の黒シート５６を配置する。
【００３６】
以上説明したように、本実施例に対応する請求項２にかかる直下型バックライト装置では、液晶パネルの背面に略平行に配列して配置されつつ同液晶パネルに光を照射する複数の蛍光管を備えた直下型バックライト装置において、上記複数の蛍光管の背面側に配置され、該複数の蛍光管から照射された光を上記液晶パネルに反射する反射シートと、上記反射シート面における上記複数の蛍光管の配列位置の間に形成されるスリットと、上記反射シートの背面側に配置される上記スリットの形成範囲より幅広の黒シートと、を備える構成としてある。
上記のように構成した請求項２にかかる発明において、上記反射シートは複数の蛍光管から照射された光を上記液晶パネルに反射するが、上記反射シートの背面側に配置されて上記スリットから露見する黒シートは複数の蛍光管から照射された光を上記液晶パネルに反射しない。従って、輝度の高くなりすぎる位置に上記スリットを形成することにより、同輝度の高くなりすぎる位置の輝度を低下させることが可能となり、上記液晶パネルにおける輝度ムラを改善することが可能となる。このような輝度ムラは大型の液晶パネルを採用したテレビジョンにおいて生じやすく、特に３０インチ以上の液晶テレビジョンに適用すると効果大である。
【００３７】
そして、請求項３にかかる発明では、上記スリットは、上記複数の蛍光管と略平行方向には長く、同複数の蛍光管の配列方向には幅狭に形成される構成としてある。
上記のように構成した請求項３にかかる発明において、上記スリットを蛍光管の配列方向と略平行に形成してあるため、蛍光管から照射される光を蛍光管の軸方向において均一に減少させることができ、上記スリットを幅狭に形成してあるため、同スリットによって輝度を低下させつつ同スリットの形成位置における輝度の低下を視聴者が感じにくくなっている。
【００３８】
さらに、請求項４にかかる発明では、上記スリットは、上記複数の蛍光管の配列方向の略中心から上記バックライト装置の端部に近づくほど、上記複数の蛍光管の配列方向の幅が幅狭となるように形成される構成としてある。
上記のように構成した請求項４にかかる発明では、上記複数の蛍光管の配列方向の略中心付近に形成されるスリットと、上記複数の蛍光管の配列方向の端側に形成されるスリットとでは、端側に形成されるスリットの方が幅狭となるように形成される。直下型バックライト装置から照射される光の輝度は、上記複数の蛍光管の配列の中心側が高く、配列の端側に向かって低くなるため、スリットをこのように形成することにより、中心側の輝度を低下させて端側との輝度差を低減させることが可能となる。
【００３９】
また、請求項５にかかる発明では、上記スリットは、上記複数の蛍光管と略平行方向において、断続的に破線状に形成される構成としてある。
上記のように構成した請求項５にかかる発明において、上記スリットは上記反射シートにおいて、一本の細長い穴としてではなく、破線状に接続部分を有するため、スリットを形成しても上記反射シートの強度を保持することが出来る。すなわち、バックライト装置の組立時に、反射シートを誤って切断したり、取り扱いが不便になったりといった不都合が生じにくくなるため、作業性が向上する。
【００４０】
さらに、請求項６にかかる発明は、上記黒シートは、接着性を有する構成としてある。
上記のように構成した請求項６にかかる発明において、上記黒シートは接着性を有するため、上記反射シートと上記リアフレームのいずれかまたは両者に接着されることが可能となり、いずれかに接着されるときは、作業性の向上が見込め、両者に接着されるときは反射シートのたわみ防止に効果を発揮する。
【００４１】
以上の構成を踏まえた上で、請求項１の発明は、映像を画面を表示する３０インチ以上の液晶パネルと、軸がバックライト装置の長手方向と略一致するとともに短手方向に冷陰極管の直線部分が略並行かつ略等間隔となるように配列して配置される４本のＵ字型の冷陰極管と上記冷陰極管の背面側に配置されて同冷陰極管から照射された光を上記液晶パネルに反射する略平面状の白色のシートである反射シートと上記反射シートの背面側に配置されて同反射シートと上記冷陰極管とを保持するリアフレームと、拡散板と拡散シートとレンズシートとから構成されて、上記冷陰極管からの直射光および上記反射シートからの反射光を照射されて、同照射された光を上記液晶パネルに向けて拡散するとともに面方向の輝度を向上させるために前方への集光効果を持つ機能性シートと上記冷陰極管を上記リアフレームに対して固定するランプホルダーと、上記液晶パネルと上記機能性シートとを上記ランプホルダーおよび上記リアフレームに対して固定する略矩形枠のベゼルと、により構成される直下型バックライト装置と、上記直下型バックライト装置に交流電圧を供給するインバータ部と、を備えつつ、テレビ放送を受信して対応する映像を上記画面に表示する液晶テレビジョン装置において、上記反射シートの面には上記冷陰極管の軸方向と略平行に、上記冷陰極管それぞれの配列位置の間となる部分に形成されるスリットと、両面に接着性を持たせつつ上記リアフレームと上記反射シートとの間に配置されて両者を接着し、上記スリットから露見するように上記スリットの形成範囲よりも幅広に形成された黒シートと、を備え、上記スリットは、上記冷陰極管と略平行方向には長く、上記冷陰極管の配列方向には幅狭に形成され上記冷陰極管の配列方向の略中心から端部に近づくほど同冷陰極管の配列方向の幅が幅狭となるように形成され上記冷陰極管の配列方向において中心側に近い位置にはスリット形成し、端側に近い位置にはスリットを形成しないようにし、上記冷陰極管と略平行方向において、断続的に破線状に形成される構成としてある。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４３】
【図１】本発明の実施形態にかかるテレビジョンを斜め前方より見た斜視図である。
【図２】本発明の実施形態にかかるテレビジョン１００の概略構成を示すブロック図である。
【図３】本実施形態にかかるバックライト装置を分解して示した斜視図である。
【図４】反射シートに形成されるスリットの形成位置および形状を示す平面図である。
【図５】スリットの変形例を示す平面図である。
【符号の説明】
【００４４】
１００…テレビジョン
１０…キャビネット
２０…脚部
２２…チューナ部
２４…画像データ生成部
２６…パネル駆動部
２８…液晶パネル
３０…バックライト装置
３２…インバータ部
３４…電源部
３６…マイコン
５０…ベゼル
５１…液晶セル
５２…機能性シート
５３…ランプホルダー
５４、５４ａ〜５４ｄ…冷陰極管
５４ａ１，５４ａ２，５４ｂ１，５４ｂ２，５４ｃ１，５４ｃ２，５４ｄ１，５４ｄ２…直線部分
５５…反射シート
５６…黒シート
５７…リアフレーム
６０、６０ａ〜６０ｅ…スリット
６０ａ１〜６０ａ３，６０ｂ１〜６０ｂ３，６０ｃ１〜６０ｃ３，６０ｄ１〜６０ｄ３，６０ｅ１〜６０ｅ３…スリット
【図１】
2007286360.tif 000003
【図２】
2007286360.tif 000004
【図３】
2007286360.tif 000005
【図４】
2007286360.tif 000006
【図５】
2007286360.tif 000007